(57)【要約】【課題】相変化型の記録媒体に対して、その想定記録速度よりも高速で良好な記録を行うことができるようにする光ピックアップの実現。【解決手段】  相変化記録媒体の記録トラック上において、第１のレーザビームによる円形の記録スポットに先行して、第２のレーザビームによる楕円形（トラック線方向に長径となる楕円形）の消去スポットが照射されるようにする。楕円形の消去スポットにより、規定速度よりも高速で記録をおこなうときにも、マークの消去が良好に行われるようにする。円形の記録スポットと楕円形の消去スポットを生成するためには、光ピックアップにおいて、第１のレーザ発光点からの第１のレーザビームの光軸を基準として対物レンズまでの光学素子が配置され、第２のレーザ発光点からの第２のレーザビームが光学素子に１度以上の入射角で入射されるようにする。【選択図】      図５
2006147001.tif 000002
【特許請求の範囲】
【請求項１】
相変化記録媒体に対して情報を記録する光ピックアップにおいて、
第１，第２のレーザ発光点を有して第１，第２のレーザビームを出力するレーザ発光手段と、
上記相変化記録媒体に対するレーザ出力端となる対物レンズと、
上記レーザ発光手段から出力された上記第１，第２のレーザビームを上記対物レンズに導く光学系手段と、
を備え、
上記光学系手段は、上記第１のレーザ発光点からの上記第１のレーザビームの光軸を基準として上記対物レンズまでの光学素子が配置され、上記第２のレーザ発光点からの上記第２のレーザビームが上記光学素子に１度以上の入射角で入射されることで、上記第１のレーザビームが略円形のレーザスポット形状の記録ビームとして上記対物レンズから上記相変化記録媒体上のトラックに照射され、また上記第２のレーザビームが、トラック線方向が長径となる楕円形のレーザスポット形状の消去ビームとして、上記対物レンズから、上記トラック上で上記記録ビームに先行する位置に照射されるようにしたことを特徴とする光ピックアップ。
【請求項２】
上記光学系手段には、レーザビームを平行光とするコリメータレンズが設けられ、
上記第１のレーザビームの光軸を基準として、上記コリメータレンズ及び上記対物レンズが配置されていると共に、
上記第１，第２のレーザ発光点の間隔をｘ、上記第１のレーザ発光点から上記コリメータレンズまでの距離をｙとしたとき、
ｘ／ｙ≧tan（１×π／１８０）
とされていることを特徴とする請求項１に記載の光ピックアップ。
【請求項３】
上記レーザ発光手段から出力される第１，第２のレーザビームは、スポット形状が、上記トラック線方向に相当する方向が短径となる楕円形であるとともに、
上記光学系手段には、スポット形状を変化させる光学素子が配されることで、上記第１、第２のレーザビームが円形のスポット形状の状態で上記対物レンズに入射されることを特徴とする請求項１に記載の光ピックアップ。
【請求項４】
相変化記録媒体に対して光ピックアップからレーザビームを照射して情報を記録する記録装置において、
上記光ピックアップは、
第１，第２のレーザ発光点を有して第１，第２のレーザビームを出力するレーザ発光手段と、
上記相変化記録媒体に対するレーザ出力端となる対物レンズと、
上記レーザ発光手段から出力された上記第１，第２のレーザビームを上記対物レンズに導く光学系手段と、
を備え、
上記光学系手段は、上記第１のレーザ発光点からの上記第１のレーザビームの光軸を基準として上記対物レンズまでの光学素子が配置され、上記第２のレーザ発光点からの上記第２のレーザビームが上記光学素子に１度以上の入射角で入射されることで、上記第１のレーザビームが略円形のレーザスポット形状の記録ビームとして上記対物レンズから上記相変化記録媒体上のトラックに照射され、また上記第２のレーザビームが、トラック線方向が長径となる楕円形のレーザスポット形状の消去ビームとして、上記対物レンズから、上記トラック上で上記記録ビームに先行する位置に照射されるようにしたことを特徴とする記録装置。
【発明の詳細な説明】
【技術分野】
【０００１】
本発明は相変化記録媒体に対してレーザビームを照射し、情報の記録を行う光ピックアップ、及びその光ピックアップを備えた記録装置に関するものである。
【背景技術】
【０００２】
【特許文献１】特開平１−１３８６２０号公報
【０００３】
ＤＶＤ（Digital Versatile Disc）方式、ＣＤ（Compact disc）方式、ブルーレイディスク（Blu-Ray）方式など、各種ディスクメディアが知られており、それらの各種ディスク方式では、リライタブルディスク（ＲＷ：書換可能ディスク）として相変化ディスクが用いられている。
相変化膜の記録は、膜の結晶性をレーザー照射の熱によって変化させるとことで行われる。マーク部分（相変化ピット部分）は反射率が低いアモルファス状態、スペース部分は反射率の高い結晶状態となっており、この二つの状態を形成するためには、レーザーによる熱の与え方を制御する必要がある。加熱温度に閾値はあるものの、簡単に言うと、短時間で加熱し、冷却すると結晶はアモルファス化し、徐々に冷却する（除冷）と結晶化する。
【発明の開示】
【発明が解決しようとする課題】
【０００４】
通常、相変化光ディスクの記録では、記録性能の速度依存性が強く、特に、高速で重ね書き記録を行おうとした場合に、以前に記録されたマークを消去しようとしても、線速度が速いため、膜の再結晶化に必要とされる十分な時間の加熱及び冷却が行われない。
そのためマークがうまく消去できず、その消し残りの影響により、良好に重ね書きすることができないことがある。
このため相変化型の光ディスクでは、ディスク種別毎に、その特有の重ね書き（ダイレクト・オーバーライト）可能な記録速度が規格において決められており、その記録速度を大きく超えるような記録を行うのは難しい。例えば、記録速度が４倍速とされているＤＶＤ＋ＲＷディスクなどを使用して、その記録速度範囲を大きく超えて８倍速程度で記録することは困難である。
【０００５】
このことについて説明する。マーク及びスペースの列により既に情報が記録されたディスクにおいては、マーク部分はアモルファス状態になっており反射率が低く、スペース部分は結晶状態になっているため反射率が高い。８〜１４Ｔ（Ｔはチャンネルビット長）などの長いマーク部分と、スペース部分における、ＲＦ再生信号のＤＣレベルでの比較では、スペース部分のレベルに対してマーク部分のレベルは３０〜４０％程度になる（反射率の比に相当）。
従って、図７に示すようなＲＦ再生信号において、そのトップレベル（I14h）とボトムレベル（I14l）の比も同等の３０〜４０％程度になり、また、両者の平均値レベル（（I14h＋I14l）／２）は、トップレベル（I14h）に対して６５〜７０％程度となる。
【０００６】
このような通常のＲＦ再生信号に対して、消去を行うことを考えてみる。例えば４倍速用のディスクに対して、１〜４倍速相当の速度で、レーザーパワーを直流駆動してあげていくと、以前に記録されていたデータが消去され、全体的に結晶状態になり、反射率が上がる。このとき、パワーの増加と共に、変調された再生信号は、記録されてアモルファス状態になっている８〜１４Tなどの長いマークであるボトムレベルが、結晶状態であるトップレベルに近づくような形で変調成分が小さくなっていき、やがて、その重ね書きに問題ないレベルになる。
図８に、２倍速の場合を破線で、また４倍速の場合を実線で、それぞれ消去用の直流駆動のレーザパワーＰｅを変化させていった場合でのトップレベル（ＲＦｔｏｐ）及びボトムレベル（ＲＦｂｔｍ）の変化を示している。
この場合、レーザパワーＰｅを5.0ｍＷ前後とした状態で、ボトムレベルが、トップレベルに近づいており、つまり、マークが適正に消去されていることがあらわれている。
【０００７】
同様の方法で、上述のディスクを６〜８倍速で消去を行うことを考える。図９にこの場合の消去特性を示す。
６倍速、８倍速のいずれの場合も、消去用レーザーパワーＰｅを直流駆動して上げていくと、5.0ｍＷ付近の低いパワーの場合は消去が行われ、変調された再生信号のボトムレベルが徐々に上がっていき、トップレベルに近付いていく。ところが、5.0ｍＷを越えたあたりから、トップレベルに近づく前にボトムレベルが反対に下がっていき、さらにレーザパワーを上げるとトップレベルも下がっていく。そして、どちらも下がりながらも両者の間隔は縮まり変調成分は小さくなっていく。
このように十分に消去が行われない速さでは、重ね書きにおいて前のデータを十分に消去しながらの書き込みが不可能で、その後の書き込み特性も低下する。
【０００８】
なお、図８の４倍速の場合や、図９の６倍速、８倍速の場合に、消去用レーザパワーＰｅの上昇と共にボトムレベル及びトップレベルが下がっていくのは、線速度が速いため、除熱、除冷というよりも、むしろ急熱、急冷に近い状態になり、この為にアモルファス状態に近付いて行くためであると考えられる。
【０００９】
以上のように、規定記録速度以上でディスクを回転させた場合、マークの消去率を上げる為に消去用のレーザスポットの発光パワーをあげていくと、マークの部分が消去されＲＦのボトムレベルがトップレベルに近づいていくが、必要な消去率を得られる前にＲＦのボトムレベルが低下し始め、またＲＦのトップレベルも低下し始める。このことは、規定より高倍速での重ね書き記録において、マークの消去率が悪く、また消去パワーをある程度以上に上げていくと、ＲＦ信号レベルも小さくなってしまうことにより、ジッターと変調度、信号のＳ／Ｎといった特性を悪化させてしまうことを示している。
結局、より高速な書込が制限されているという課題があった。
【課題を解決するための手段】
【００１０】
そこで本発明は、記録の速度依存性が大きい相変化型の記録媒体に対して、その想定記録速度よりも高速で良好な記録を行うことができるようにするための光ピックアップを提供することを目的とする。
【００１１】
本発明は相変化記録媒体に対して情報を記録する光ピックアップにおいて、第１，第２のレーザ発光点を有して第１，第２のレーザビームを出力するレーザ発光手段と、上記相変化記録媒体に対するレーザ出力端となる対物レンズと、上記レーザ発光手段から出力された上記第１，第２のレーザビームを上記対物レンズに導く光学系手段とを備え、上記光学系手段は、上記第１のレーザ発光点からの上記第１のレーザビームの光軸を基準として上記対物レンズまでの光学素子が配置され、上記第２のレーザ発光点からの上記第２のレーザビームが上記光学素子に１度以上の入射角で入射されることで、上記第１のレーザビームが略円形のレーザスポット形状の記録ビームとして上記対物レンズから上記相変化記録媒体上のトラックに照射され、また上記第２のレーザビームが、トラック線方向が長径となる楕円形のレーザスポット形状の消去ビームとして、上記対物レンズから、上記トラック上で上記記録ビームに先行する位置に照射されるようにしたものである。
特に上記光学系手段には、レーザビームを平行光とするコリメータレンズが設けられ、上記第１のレーザビームの光軸を基準として、上記コリメータレンズ及び上記対物レンズが配置されている。そして上記第１，第２のレーザ発光点の間隔をｘ、上記第１のレーザ発光点から上記コリメータレンズまでの距離をｙとしたとき、
ｘ／ｙ≧tan（１×π／１８０）
とされている。
また、上記レーザ発光手段から出力される第１，第２のレーザビームは、スポット形状が、上記トラック線方向に相当する方向が短径となる楕円形であるとともに、上記光学系手段には、スポット形状を変化させる光学素子が配されることで、上記第１、第２のレーザビームが円形のスポット形状の状態で上記対物レンズに入射されるようにする。
また本発明の記録装置は、相変化記録媒体に対して光ピックアップからレーザビームを照射して情報を記録する記録装置であり、その光ピックアップとして上記構成を備える。
【００１２】
このような本発明では、相変化記録媒体の記録トラック上において、上記第１のレーザビームによる円形の記録スポットに先行して、上記第２のレーザビームによる楕円形（トラック線方向に長径となる楕円形）の消去スポットが照射されるようにする。楕円形の消去スポットにより、規定速度よりも高速で記録をおこなうときにも、マークの消去が良好に行われるようにする。
そして特に、このような円形の記録スポットと楕円形の消去スポットを生成するためには、光ピックアップにおいて、上記第１のレーザ発光点からの上記第１のレーザビームの光軸を基準として上記対物レンズまでの光学素子が配置され、上記第２のレーザ発光点からの上記第２のレーザビームが上記光学素子に１度以上の入射角で入射されるようにする。
【発明の効果】
【００１３】
本発明によれば、相変化記録媒体に対して、その規定の記録速度を大きく超えた、たとえば規定記録速度の２倍程度の記録速度で記録を行っても、先行する楕円形の消去スポットにより記録されているマークを十分に消去し、後行の円形の記録スポットで新たなマークの記録を行うことにより、適切なオーバライトが可能となる。またこのとき、先行の消去用レーザビームによる消去過程において、その反射率を７０％程度から４０％程度まで下げることになるためにディスクの熱吸収が良くなり、結果として後行の記録用レーザビームでの記録パワーを下げることが可能になるという利点も得られる。
そしてこのような円形の記録スポットと楕円形の消去スポットによる記録動作を実現する光ピックアップとしては、第１，第２のレーザビームを出力するレーザ発光手段を用い、第１のレーザビームの光軸を基準として配置された光学系手段に対して、第１のレーザビームを１度以上の入射角で入射されるようにすることで、容易に実現できる。
具体的には、上記のＸ／Ｙ≧tan（１×π／１８０）の条件を満たす光ピックアップを製造すればよい。
また、一般的にレーザ発光手段とされるレーザダイオードでは、出力されるレーザビームのスポット形状が楕円形となっていることが多い。そのようなレーザダイオードを用いる場合、アナモルフィックプリズムなどのスポット形状を変化させる光学素子を用いて、第１，第２のレーザビームのスポット形状を円形とする。これにより、対物レンズを介した第１，第２のレーザビームを円形スポットの記録ビームと、楕円形スポットの消去ビームとすることができる。
そしてまたこのような光ピックアップを備えた記録装置では、相変化記録媒体に対して安定した高速記録が実現できる。
【発明を実施するための最良の形態】
【００１４】
以下、記録装置に搭載される本発明の光ピックアップの実施の形態を説明する。
図１に本例の光ピックアップによって行われる記録動作を模式的に示す。
上述したように、相変化型の光ディスクでは、記録速度の依存性が大きく、あるディスクにおいて、その特有の重ね書き（ダイレクト・オーバーライト）可能な記録速度が規格において決められており、その記録速度を大きく超えるような記録を行うのは難しい。
例えば、記録速度が４倍と規定されたDVD+RWディスクなどを使用して、その記録速度範囲を大きく超えて８倍速程度で記録する場合を考えると、相変化膜に十分な時間ビームを照射することができず、再結晶化に必要な除熱・除冷が行われず、マークを完全に消去することはできない。よって、重ね書きを行う場合、前の記録された部分は消え残ってしまい、２重書きのようになり、うまく書くことができない。
【００１５】
そこで本例では、図１のように、ディスク上のグルーブにより形成される記録トラックの線方向に並ぶ２つのビームを用いて、先行するビーム（ビームスポットＳＰ２）で消去を行い、後のビーム（ビームスポットＳＰ１）で書込を行うものとする。またこのとき、先行する消去ビームスポットＳＰ２は、トラック線方向が長径となる楕円形とし、記録ビームスポットＳＰ１は円形となるようにする。
消去用のビームスポットＳＰ２の役目は、記録されているマークを消去し、次のビームスポットＳＰ１による書き込みに影響がない状態にすることである。
しかし、先行の消去ビームで消去を行うとしても、消去率が十分得られない（膜に十分な時間照射できない）ような場合では、結局後の重ね書きに影響を与えてしまう。そこで、膜上の一点へのビーム照射時間を長くできるように、スポット形状を楕円形とし、トラック線方向へのビームスポットの径が長くなるようにする。
例えばトラック線方向へのビームスポット径が２倍になれば、実効パワーは小さくなるものの、ビームが膜上の一点を通過する時間も倍となり、半分の速度で照射したときと同様の効果が得られ、消去率が向上する。
【００１６】
ここで楕円形のスポットのレーザによる消去特性、ＤＯＷ（データオーバライト）特性を図２，図３に示す。
なお、この特性の測定は、レーザビームを傾けてディスクに照射することで、楕円形のスポットを形成することにより行った。図２において破線は０deg.、つまりレーザビームを傾けない円形スポットでの消去特性であり、実線は+1.1deg.つまりディスクにレーザビームを1.1°傾けて入射して得た楕円形のスポットでの消去特性である。それぞれの場合において、ＲＦトップレベル（ＲＦｔｏｐ）、ＲＦボトムレベル（ＲＦｂｔｍ）及び消去率を示している。
【００１７】
先に図９で述べたように、規定速度以上の速度の場合、消去レーザパワーＰｅを上げていくと、ＲＦ信号のボトムレベルはトップレベルに近づく前に降下し始め、そのあとトップレベルが下がりだす。このことは、速度の増加により、レーザー照射による層変化記録膜への加熱が十分な時間行われず、記録部分を十分に消去しきれていないこと、またエネルギーが高すぎると急熱・急冷効果によりＤＣ照射で記録してしまっていることを示している。これは、図２においては破線で示されている特性である。
これに対して、ビームを傾けて楕円形のスポットとしたときの消去特性をみてみると、その場合のトップレベル、ボトムレベル、消去率を図２の実線で示すようになる。つまり、楕円形のスポットによりトラック線方向へのビーム径が広がり、膜の一点上をビームが通過する時間が長くなることで、有効パワー密度は減少してしまうものの、低速で消去したときと同様な消去特性を得ることができている。
【００１８】
このような現象を利用して、先行する消去ビームで元のＲＦ信号を問題の無いレベルまで消去を行ない、且つ、元のＲＦ信号のトップレベルに対して、７０〜４０％に低下させ、その後、後方の記録ビームでＲＦ信号のトップレベルがある程度確保できる消去パワーで記録を行う。
図３には先行ビームによるイレーズ（消去）無し、円形スポットによる消去、楕円形スポットによる消去の各場合での、ＤＯＷ特性を示しているが、このＤＯＷ特性においても、ビームを傾けて楕円形のスポットでイレイズすることの有効性がよく現れている。即ち傾けないときに比べると、過去の記録部分による消し残りの影響も見られず、よいジッターが得られている。
【００１９】
この様な記録を行うことで、双方の発光ビームでそれぞれの役割（先行側が元の信号の変調線分の消去、後行側がＲＦ信号レベルを確保した記録）におけるパワーを独立して最適値として定められるために、高倍速でも消去不足によるジッターの発生をさけてＲＦレベルを確保することができ、且つ、先行ビームによる消去によって反射率が低下している箇所への記録を行うことになるため先行ビームによる消去を行わない場合に１回目の記録で必要なパワーよりも下げることを可能にしている。
【００２０】
以下では、以上のように先行の楕円形スポットの消去レーザビームと、後行の円形スポットの記録レーザビームによる情報記録を実現する本実施の形態の光ピックアップについて説明する。
図４は、ＤＶＤ用及びＣＤ用のレーザビームを出力するピックアップの構成を示しているが、特にＤＶＤ方式の相変化ディスクに対して上記の記録方式を実行するものとする。
【００２１】
図４においてレーザダイオード１は、レーザ波長が６５８ｎｍとされたＤＶＤ用のレーザビームを出力するレーザ発光源である。特にこのレーザダイオード１は、いわゆる２ビームＬＤとされ、２つの発光点から２つのレーザビームを出力するものとされている。
一方、レーザダイオード２は、レーザ波長が７８５ｎｍとされたＣＤ用のレーザビームを出力する。
ＤＶＤメディアに対する記録再生を行う場合は、レーザダイオード１から出力される２系統のレーザビームは、グレーティング３を介してビームスプリッタ５に達する。ビームスプリッタ５は、ＤＶＤ用の波長６５８ｎｍのレーザビームを透過させ、偏光ビームスプリッタ６に導く。
ＣＤメディアに対する記録再生を行う場合は、レーザダイオード２から出力されるレーザビームが、グレーティング４を介してビームスプリッタ５に達する。ビームスプリッタ５は、ＣＤ用の波長７８５ｎｍのレーザビームを反射させて偏光ビームスプリッタ６に導く。
【００２２】
以下、レーザダイオード１からのＤＶＤ用の６５８ｎｍの２系統のレーザビームの場合で説明していく。
偏光ビームスプリッタ６に達したレーザビームは、偏光ビームスプリッタ６を透過した後、コリメータレンズ７によって平行光とされ、アナモルフィックプリズム８に達する。アナモルフィックプリズム８では、一部が反射されて集光レンズ１１を介してモニタ用フォトディテクタ１２に受光される。モニタ用フォトディテクタ１２による光量検出信号は、いわゆるＡＰＣ（自動レーザパワーコントロール）動作に用いられる。
アナモルフィックプリズム８に入射したレーザビームは、そのスポット形状が変形されて出射され、１／４波長板９を介して対物レンズ１０に入射され、対物レンズ１０で集光されてディスク９０に記録面に照射される。
【００２３】
ディスク９０の反射光は、対物レンズ１０，１／４波長板９、アナモルフィックプリズム８、コリメータレンズ７を通過して偏光ビームスプリッタ６に達する。この反射光は、往路と復路で１／４波長板９を通過していることで偏光面が９０°回転されているため偏光ビームスプリッタ６によって反射され、１／４波長板１３，マルチレンズ１４を介してフォトディテクタ１５に達し、受光光量に応じた電気信号が得られる。
このフォトディテクタ１５で得られる電気信号に基づいて、図示しないＲＦマトリクスアンプによってＲＦ信号や各種サーボ信号が生成される。
【００２４】
このような構成のピックアップにおいて、上記したようにレーザダイオード１は２ビームＬＤとされており、２系統のレーザビームを出力するが、その一方が円形スポットの記録ビームとなり、また他方が楕円形スポットの消去ビームとなる。そして図１に示したように、ディスク９０の記録トラック上において、楕円形スポットの消去ビームは、トラック線方向に長径の楕円形スポットとなって、円形の記録スポットに先行する位置に照射されることになる。
【００２５】
ここで、レーザビームの一方が円形スポット、他方が楕円形スポットとなるようにするための構成を図５に示す。
図５では図４のピックアップにおけるレーザダイオード１、コリメータレンズ７、対物レンズ１０のみを示している。
２ビームＬＤであるレーザダイオード１は、２つの発光点１ａ，１ｂからそれぞれレーザビームＬ１，Ｌ２を出力する。
ここで、ピックアップ内の光学素子は、発光点１ａからのレーザビームＬ１の光軸Ｊ１を基準に配置されている。
仮に、発光点１ａ，１ｂから出力される各レーザビームＬ１，Ｌ２のスポット形状が円形であるとすると、光軸Ｊ１を基準に配置されたコリメータレンズ７、対物レンズ１０を介してディスク９０に照射される発光点１ａからのレーザ光は、円形スポットを形成する。これが記録用のレーザスポットＳＰ１となる。
【００２６】
一方、発光点１ｂは、発光点１ａよりトラック線方向に相当する方向に距離ｘだけ離れており、このためレーザビームＬ２はその光軸Ｊ２がコリメータレンズ７に対して所定の入射角度θをもって入射される。コリメータレンズ７に対しての入射角度と、対物レンズ１０からの出射角度θとは一定になるため、レーザビームＬ２はディスク９０の記録面に対して傾いて照射されることになり、この結果、スポット形状がトラック線方向に長径の楕円となる。これが消去用のレーザスポットＳＰ２となる。
【００２７】
ここで図２で述べたように、レーザビームを1.1度傾けた状態での消去特性は、オーバライトとして適切な特性を示している。従って、レーザビームＬ２をディスク９０の記録面に１度以上傾いて入射させれば、本例のピックアップにより適切なオーバライトが実現できる。このためには、図５のコリメータレンズ７に対するレーザビームＬ２の入射角θ（＝対物レンズ１０からの出射角θ）が１度以上となるようにすればよい。
具体的には、上記のように発光点１ａ、１ｂ間をｘ、発光点１ａからコリメータレンズ７までの距離をｙとしたとき、
ｘ／ｙ≧tan（１×π／１８０）
となるように設計すればよいことになる。
図４の構成のピックアップにおいて、この図５の構成を与えることで、本例のピックアップは、先行する楕円形のスポットＳＰ２により消去を行いながら、後行する円形のスポットＳＰ１で記録を行うという、上述した記録動作を実現できるものとなる。
【００２８】
即ち、本例のピックアップにより、相変化ディスクに対して、その規定の記録速度を大きく超えた、たとえばその記録速度の２倍程度の記録速度で、タンジェンシャル方向へ傾けられた先行側の消去レーザビームＬ２で以前に記録されたマークを消去し、後行側の記録レーザビームＬ１で、新たなマークの記録を行うことにより、上書き記録することが可能になる。さらに、先行の消去レーザビームＬ２による消去過程において記録膜の反射率を７０％程度から４０％程度まで下げることになるためにディスクの熱吸収が良くなり、結果として後行のレーザビームＬ１での記録パワーを下げることが可能になる。
【００２９】
ところで、一般にレーザダイオードから出力されるレーザビームは、楕円形のスポットとされている。２ビームＬＤとされたレーザダイオード１からのレーザビームＬ１，Ｌ２が楕円形スポットであることに応じては、本例はアナモルフィクプリズム８を用いて記録トラック上での上記のスポット形状を得るようにしている。
図６（ａ）にレーザビームＬ１，Ｌ２のスポット形状が、トラック線方向に相当する方向が短径となっている状態を示している。
このようなレーザビームＬ１，Ｌ２は、アナモルフィックプリズム８を通過することになるが、ここで、スポット形状が変形され、共に図６（ｂ）のような円形のスポットとなる。
そしてレーザビームＬ１，Ｌ２は円形のスポットの状態で対物レンズ１０に達する。円形スポットとされたレーザビームＬ１は、対物レンズ１０の中心に光軸Ｊ１が一致しているため、そのまま垂直にディスク９０上のトラックに照射され、図６（ｃ）のように円形のスポットＳＰ１が形成される。一方、円形スポットとされたレーザビームＬ２は、図５で説明したように角度θをもって出射されることで、ディスク９０上のトラックに対して傾いて照射されるため、同じく図６（ｃ）に示すようにトラック線方向に長径となるスポットＳＰ２が形成されることになる。
【００３０】
以上、実施の形態としての光ピックアップについて説明してきたが、本発明はＤＶＤ系のピックアップのみでなく、ＣＤ方式、ブルーレイディスク方式などの相変化ディスク全般に対応するピックアップとして適用できる。
例えば図４の構成のピックアップにおいてＣＤ用のレーザダイオード２を２ビームＬＤとし、ＣＤ方式の相変化ディスクに記録を行う場合に、上記同様の円形の記録スポットと楕円形の消去スポットを照射するようにしても良い。
そして本発明の記録装置は、上記例のような光ピックアップにより相変化ディスク等の相変化記録媒体に対する情報記録を行う装置である。例えばＤＶＤ記録装置、ＣＤ記録装置、ブルーレイディスク記録装置などとして実現できる。
【図面の簡単な説明】
【００３１】
【図１】本発明の実施の形態のピックアップで実行する記録方式の説明図である。
【図２】実施の形態の記録方式での消去特性の説明図である。
【図３】実施の形態の記録方式でのＤＯＷ特性の説明図である。
【図４】実施の形態の光ピックアップの構成の説明図である。
【図５】実施の形態の光ピックアップで得られるビームスポットの説明図である。
【図６】実施の形態の光ピックアップにおけるビームスポット形状の説明図である。
【図７】再生されるＲＦ信号波形の説明図である。
【図８】相変化ディスクに対する規定速度内での消去特性の説明図である。
【図９】相変化ディスクに対する規定速度以上での消去特性の説明図である。
【符号の説明】
【００３２】
１，２  レーザダイオード、５  ビームスプリッタ、６  偏光ビームスプリッタ、７  コリメータレンズ、８  アナモルフィックプリズム、１０  対物レンズ、９０  ディスク
【図１】
2006147001.tif 000003
【図２】
2006147001.tif 000004
【図３】
2006147001.tif 000005
【図４】
2006147001.tif 000006
【図５】
2006147001.tif 000007
【図６】
2006147001.tif 000008
【図７】
2006147001.tif 000009
【図８】
2006147001.tif 000010
【図９】
2006147001.tif 000011